(57)【要約】【課題】課題は、意図しない温度の湯水の供給を抑制できる給湯システム及び給湯プログラムを提供することである。【解決手段】給湯システム１０は、給湯装置２０と、通信制御装置５０とを備えている。給湯装置２０は、互いに並列な第１給湯路３１１及び第２給湯路３１２を有している。給湯装置２０は、給湯信号に応じて第１給湯路３１１を通じて湯を供給する第１給湯処理を実行する。給湯装置２０は、第２給湯路３１２の使用の割込みを検出すると第２給湯路３１２を通じて湯を供給する第２給湯処理を実行する。通信制御装置５０は、無線信号に応答して給湯装置２０に給湯信号を送信する。給湯装置２０は、通信制御装置５０からの給湯信号に応じて第１給湯処理を開始した場合には、割込みを検出しても第２給湯処理を実行しないか、割込みを検出すると第２給湯路３１２を通じて供給する湯の温度を低下させる湯温低下処理を実行する。【選択図】  図１
2019196858.tif 000002
【特許請求の範囲】
【請求項１】
互いに並列な第１給湯路及び第２給湯路を有し、給湯信号に応じて前記第１給湯路を通じて湯を供給する第１給湯処理を実行し、前記第２給湯路の使用の割込みを検出すると前記第２給湯路を通じて湯を供給する第２給湯処理を実行する給湯装置と、
無線信号に応答して前記給湯装置に前記給湯信号を送信する通信制御装置と、を備え、
前記給湯装置は、前記通信制御装置からの前記給湯信号に応じて前記第１給湯処理を開始した場合には、前記割込みを検出しても前記第２給湯処理を実行しない、又は、前記割込みを検出すると前記第２給湯路を通じて供給する湯の温度を低下させる湯温低下処理を実行する、ことを特徴とする給湯システム。
【請求項２】
前記給湯装置は、熱交換器を有し、前記第１給湯処理では前記熱交換器で生成された湯を前記第１給湯路に供給し、前記第２給湯処理では前記熱交換器で生成された湯を前記第２給湯路に供給する、ことを特徴とする請求項１の給湯システム。
【請求項３】
前記給湯装置は、前記通信制御装置からの前記給湯信号に応じて前記第１給湯処理を実行している間は、前記割込みを無視する、ことを特徴とする請求項１又は２の給湯システム。
【請求項４】
前記給湯装置は、前記湯温低下処理では、前記熱交換器での湯の生成を中止する、ことを特徴とする請求項２の給湯システム。
【請求項５】
前記給湯装置は、前記湯温低下処理では、前記熱交換器で生成される湯の温度を低下させる、ことを特徴とする請求項２の給湯システム。
【請求項６】
前記給湯装置は、前記通信制御装置からの前記給湯信号に応じて前記第１給湯処理を実行している間に前記割込みを検出すると、前記第１給湯処理を中止する、ことを特徴とする請求項４又は５の給湯システム。
【請求項７】
前記給湯装置は、前記割込みの検出に応じた前記第１給湯処理の終了後に、前記割込みを検出しなくなると、前記湯温低下処理を終了して前記第１給湯処理を再開する、ことを特徴とする請求項６の給湯システム。
【請求項８】
ユーザの操作に応じて前記給湯装置に前記給湯信号を送信する遠隔制御装置を備える、ことを特徴とする請求項１〜７のいずれか一つの給湯システム。
【請求項９】
前記給湯装置は、前記遠隔制御装置からの前記給湯信号により前記第１給湯処理を実行している間は、前記割込みの検出に応じて前記第２給湯処理を実行する、ことを特徴とする請求項８の給湯システム。
【請求項１０】
前記遠隔制御装置は、前記給湯装置が前記通信制御装置からの前記給湯信号により前記第１給湯処理を実行していることを通知する、ことを特徴とする請求項８又は９の給湯システム。
【請求項１１】
前記遠隔制御装置は、ユーザの操作に応じて前記給湯装置に解除信号を送信し、
前記給湯装置は、前記通信制御装置からの前記給湯信号により前記第１給湯処理を実行している間に前記解除信号を受け取った後は、前記割込みの検出に応じて前記第２給湯処理を実行する、ことを特徴とする請求項９又は１０の給湯システム。
【請求項１２】
前記無線信号は、情報端末からの前記第１給湯処理の実行の要求を示す信号である、ことを特徴とする請求項１〜１１のいずれか一つの給湯システム。
【請求項１３】
前記給湯装置は、前記第１給湯路及び前記第２給湯路を有する給湯設備と、前記給湯設備を制御して前記第１給湯処理及び前記第２給湯処理を実行する運転制御装置とを有し、
前記運転制御装置は、前記給湯設備の制御が可能なオン状態と、前記給湯設備の制御が不可能なオフ状態と、を有し、
前記通信制御装置は、前記運転制御装置を前記オフ状態から前記オン状態に変更した後に前記運転制御装置に前記給湯信号を送信する、ことを特徴とする請求項１〜１２のいずれか一つの給湯システム。
【請求項１４】
１以上のプロセッサにより実行されると、前記１以上のプロセッサに、第１指示と第２指示とを与え、
前記第１指示は、無線信号に応答して通信制御装置から送信される給湯信号に応じて第１給湯路を通じて湯を供給する第１給湯処理を実行する指示であり、
前記第２指示は、前記第１指示によって前記第１給湯処理を開始した場合に、前記第１給湯路と並列な第２給湯路の使用の割込みを検出しても前記第２給湯路を通じて湯を供給する第２給湯処理を実行しない、又は、前記割込みを検出すると前記第２給湯路を通じて供給する湯の温度を低下させる湯温低下処理を実行する指示である、ことを特徴とする給湯プログラム。
【発明の詳細な説明】
【技術分野】
【０００１】
本開示は、給湯システム及び給湯プログラムに関する。特に、本開示は、互いに並列な複数の給湯路を通じて湯を供給可能な給湯システム及び当該給湯システムに適用可能な給湯プログラムに関する。
【背景技術】
【０００２】
特許文献１は、給湯器付き風呂釜の制御方法を開示する。特許文献１の制御方法では、一般給湯中の湯張り給湯割り込み、又は、湯張り中の一般給湯割り込みが発生したとき、判定指標値（分流度合）が設定閾値以上であれば、同時給湯を許可する。一方、特許文献１の制御方法では、判定指標値が設定閾値未満であれば一般給湯優先として一般給湯が終了するまで湯張り給湯を待機させる。
【先行技術文献】
【特許文献】
【０００３】
【特許文献１】特開２００２−３４０３９９号公報
【発明の概要】
【発明が解決しようとする課題】
【０００４】
しかしながら、特許文献１では、ユーザが一般給湯栓を使用した際に、既にこのユーザとは別のユーザ等によって湯張り給湯が実行されていると、既に湯が準備されているために、予期せず温度が高い湯が一般給湯栓から供給される場合がある。
【０００５】
課題は、意図しない温度の湯水の供給を抑制できる給湯システム及び給湯プログラムを提供することである。
【課題を解決するための手段】
【０００６】
本開示の一態様の給湯システムは、給湯装置と、通信制御装置とを備える。前記給湯装置は、互いに並列な第１給湯路及び第２給湯路を有する。前記給湯装置は、給湯信号に応じて前記第１給湯路を通じて湯を供給する第１給湯処理を実行する。前記給湯装置は、前記第２給湯路の使用の割込みを検出すると前記第２給湯路を通じて湯を供給する第２給湯処理を実行する。前記通信制御装置は、無線信号に応答して前記給湯装置に前記給湯信号を送信する。前記給湯装置は、前記通信制御装置からの前記給湯信号に応じて前記第１給湯処理を開始した場合には、前記割込みを検出しても前記第２給湯処理を実行しない、又は、前記割込みを検出すると湯温低下処理を実行する。前記湯温低下処理は、前記第２給湯路を通じて供給する湯の温度を低下させる処理である。
【０００７】
本開示の一態様の給湯プログラムは、１以上のプロセッサにより実行されると、前記１以上のプロセッサに、第１指示と第２指示とを与える。前記第１指示は、無線信号に応答して通信制御装置から送信される給湯信号に応じて第１給湯路を通じて湯を供給する第１給湯処理を実行する指示である。前記第２指示は、前記第１指示によって前記第１給湯処理を開始した場合に、前記第１給湯路と並列な第２給湯路の使用の割込みを検出しても第２給湯処理を実行しない、又は、前記割込みを検出すると湯温低下処理を実行する指示である。前記第２給湯処理は、前記第２給湯路を通じて湯を供給する処理である。前記湯温低下処理は、前記第２給湯路を通じて供給する湯の温度を低下させる処理である。
【発明の効果】
【０００８】
本開示の態様によれば、意図しない温度の湯水の供給を抑制できる、という効果を奏する。
【図面の簡単な説明】
【０００９】
【図１】図１は、一実施形態の給湯システムの概略説明図である。
【図２】図２は、上記給湯システムを含む遠隔給湯システムの概略説明図である。
【図３】図３は、上記給湯システムの動作のフローチャートである。
【図４】図４は、上記給湯システムのセーフモードのフローチャートである。
【図５】図５は、上記給湯システムのノーマルモードのフローチャートである。
【図６】図６は、上記給湯システムの変形例のセーフモードのフローチャートである。
【発明を実施するための形態】
【００１０】
１．実施形態
１．１  概要
給湯システム１０は、図１に示すように、給湯装置２０と、通信制御装置５０とを備えている。給湯装置２０は、互いに並列な第１給湯路３１１及び第２給湯路３１２を有している。給湯装置２０は、給湯信号に応じて第１給湯路３１１を通じて湯を供給する第１給湯処理を実行する。通信制御装置５０は、無線信号に応答して給湯装置２０に給湯信号を送信する。給湯装置２０は、通信制御装置５０からの給湯信号に応じて第１給湯処理を開始した場合には、第２給湯路３１２の使用の割込みを検出しても第２給湯路３１２を通じて湯を供給する第２給湯処理を実行しない。
【００１１】
つまり、給湯システム１０では、通信制御装置５０からの給湯信号によって給湯装置２０が第１給湯処理を実行していることを知らずに、ユーザが第２給湯路３１２を使おうとしても、第２給湯路３１２からは湯が供給されない。特に、給湯装置２０から第１給湯路３１１と第２給湯路３１２の両方に湯が供給される場合、第１給湯路３１１から供給される湯と同じ温度の湯が第２給湯路３１２を通じて供給されるおそれがある。しかしながら、給湯システム１０では、給湯装置２０が第２給湯処理を実行しないから、ユーザが想定している温度とは異なる温度の湯水が第２給湯路３１２を通じて供給される可能性が低減される。このように、給湯システム１０によれば、意図しない温度の湯水の供給を抑制できる。
【００１２】
１．２  構成
以下、図１〜図５を参照して、給湯システム１０について更に詳細に説明する。本実施形態において、給湯システム１０は、図２に示すように、温水消費装置である浴槽２１０及び給湯栓２２０に湯を供給する。図２では、給湯栓２２０は、キッチンに設けられている。つまり、本実施形態では、給湯システム１０は、住宅に設置され、当該住宅内の浴槽２１０及び給湯栓２２０に湯を供給する。
【００１３】
給湯システム１０は、図２に示すように、通信ネットワーク５００を介してサーバ３００と通信可能に接続される。また、サーバ３００は、通信ネットワーク５００を介して情報端末４００と通信可能に接続される。給湯システム１０と、サーバ３００と、情報端末４００とは、遠隔給湯システムを構成している。この遠隔給湯システムは、情報端末４００を用いた給湯システム１０の制御を可能にする。
【００１４】
給湯システム１０は、図１に示すように、給湯装置２０と、通信制御装置５０と、遠隔制御装置６０と、を備えている。
【００１５】
給湯装置２０は、給湯設備３０と、運転制御装置４０と、を有する。
【００１６】
給湯設備３０は、配管３１と、熱交換器３２と、燃料配管３３と、を備えている。給湯設備３０は、燃料配管３３から供給される燃料の燃焼火炎で得た熱を、給湯熱源である熱交換器３２で配管３１を通る水に与えて湯水とすることで、給湯機能を実行する。本実施形態では、燃料は、天然ガスなどの燃焼ガスである。よって、給湯設備３０を備える給湯装置２０は、いわゆる、ガス給湯器である。
【００１７】
配管３１は、第１給湯路３１１と、第２給湯路３１２と、第３給湯路３１３と、第１給水路３１４と、第２給水路３１５と、第３給水路３１６と、を含む。
【００１８】
第１給湯路３１１と、第２給湯路３１２と、第３給湯路３１３とは、配管３１のうち熱交換器３２の下流側にある配管部で構成される。第１給湯路３１１と第２給湯路３１２とは、互いに並列に、第３給湯路３１３の第１端に接続され、第３給湯路３１３の第２端は熱交換器３２の出湯口に接続されている。
【００１９】
本実施形態では、図２に示すように、第１給湯路３１１は、浴槽２１０に接続され、第２給湯路３１２は、給湯栓２２０に接続されている。
【００２０】
第１給水路３１４と、第２給水路３１５と、第３給水路３１６とは、配管３１のうち熱交換器３２の上流側にある配管部で構成される。第１給水路３１４は、第１端が給湯装置２０の外部の水源（水道管等）に接続され、第２端が熱交換器３２の給水口に接続される。つまり、第１給水路３１４は、給湯装置２０の外部から給水を受け、熱交換器３２に供給する。第２給水路３１５は、熱交換器３２をバイパスするように、第１給水路３１４から第１給湯路３１１へ接続するバイパス配管により構成される。また、第３給水路３１６は、熱交換器３２をバイパスするように、第１給水路３１４から第２給湯路３１２へ接続するバイパス配管により構成される。
【００２１】
また、給湯設備３０は、第１バルブ３４１、第２バルブ３４２、第３バルブ３４３、第４バルブ３４４、及び第５バルブ３４５を備えている。第１バルブ３４１、第２バルブ３４２、第３バルブ３４３、第４バルブ３４４、及び第５バルブ３４５の各々は、流体の流れを制御する弁部材である。弁部材は、例えば、ボール弁である。弁部材の例としては、ダイヤフラム弁、バタフライ弁などが挙げられる。
【００２２】
第１バルブ３４１は、第１給湯路３１１に設けられている。特に、第１バルブ３４１は、第１給湯路３１１において、第１給湯路３１１と第２給水路３１５との接続点と、第１給湯路３１１と第３給湯路３１３との接続点との間にある。第１バルブ３４１は、熱交換器３２から第１給湯路３１１に供給する湯量の調整に利用される。
【００２３】
第２バルブ３４２は、第２給湯路３１２に設けられている。特に、第２バルブ３４２は、第２給湯路３１２において、第２給湯路３１２と第３給水路３１６との接続点と、第２給湯路３１２と第３給湯路３１３との接続点との間にある。第２バルブ３４２は、熱交換器３２から第２給湯路３１２に供給する湯量の調整に利用される。
【００２４】
第３バルブ３４３は、第１給水路３１４に設けられている。特に、第３バルブ３４３は、第１給水路３１４において、第１給水路３１４と第２給水路３１５との接続点と熱交換器３２の給水口との間にある。第３バルブ３４３は、熱交換器３２に供給する水量の調整に利用される。
【００２５】
第４バルブ３４４は、第２給水路３１５に設けられている。第４バルブ３４４は、第１給湯路３１１に供給する水量の調整に利用される。
【００２６】
第５バルブ３４５は、燃料配管３３に設けられている。第５バルブ３４５は、熱交換器３２に供給する燃料の量の調整に利用される。
【００２７】
また、給湯設備３０は、流量計３５を備えている。流量計３５は、第３給水路３１６に設けられている。流量計３５は、第３給水路３１６を流れる水の量を流量として測定する。
【００２８】
運転制御装置４０は、給湯設備３０を制御する電気回路である。運転制御装置４０は、例えば、１以上のプロセッサ（マイクロプロセッサ）と１以上のメモリとにより実現され得る。つまり、１以上のプロセッサが１以上のメモリに記憶された１以上のプログラムを実行することで、運転制御装置４０として機能する。１以上のプログラムは、メモリに予め記録されていてもよいし、インターネット等の電気通信回線を通じて、又はメモリカード等の非一時的な記録媒体に記録されて提供されてもよい。
【００２９】
運転制御装置４０は、オン信号を受け取ると、給湯設備３０の制御が可能なオン状態となる。つまり、給湯装置２０が運転状態となる。運転状態では、給湯装置２０は第１給湯処理及び第２給湯処理を実行可能である。例えば、オン信号によって運転制御装置４０内のスイッチがオンとなって電源から運転制御装置４０への給電が開始される。これによって、運転制御装置４０がオン状態となって、給湯装置２０が運転状態となる。一方、運転制御装置４０は、オフ信号を受け取ると、給湯設備３０の制御が不可能なオフ状態となる。つまり、給湯装置２０が停止状態となる。停止状態では、給湯装置２０は第１給湯処理及び第２給湯処理を実行できない。例えば、オフ信号によって運転制御装置４０内のスイッチがオフとなって電源から運転制御装置４０への給電が停止される。これによって、運転制御装置４０がオフ状態となって、給湯装置２０が停止状態となる。本実施形態では、オン信号及びオフ信号は、通信制御装置５０及び遠隔制御装置６０から運転制御装置４０に送信される。
【００３０】
運転制御装置４０は、オン状態では、給湯設備３０の第１バルブ３４１、第２バルブ３４２、第３バルブ３４３、第４バルブ３４４、及び第５バルブ３４５、並びに、熱交換器３２を制御する。
【００３１】
運転制御装置４０は、給湯設備３０を制御して湯を沸かす処理（湯生成処理）を行う。湯生成処理では、運転制御装置４０は、第３バルブ３４３及び第５バルブ３４５を開状態とし、熱交換器３２を動作させることで、熱交換器３２で水を加熱して湯を生成する。湯生成処理では、例えば、運転制御装置４０は、第３バルブ３４３を用いた熱交換器３２への水の量の調整及び第５バルブ３４５を用いた熱交換器３２への燃料の量の調整によって、熱交換器３２で生成する湯の温度をあらかじめ設定された給湯温度に設定する。この湯生成処理で生成された湯が第１給湯路３１１及び第２給湯路３１２に供給される。つまり、第１給湯路３１１と第２給湯路３１２とは湯源が同じである。よって、第２給湯処理は、第１給湯処理で供給される湯と同じ温度の湯を第２給湯路３１２を通じて供給する処理であるといえる。
【００３２】
運転制御装置４０は、更に、給湯設備３０を制御して第１給湯処理及び第２給湯処理を実行する。
【００３３】
第１給湯処理は、第１給湯路３１１を通じて湯を供給する処理である。第１給湯処理では、運転制御装置４０は、第１バルブ３４１を開状態として熱交換器３２から第１給湯路３１１に湯を供給する。また、第１給湯処理では、運転制御装置４０は、必要に応じて第４バルブ３４４を開状態として熱交換器３２から第１給湯路３１１に供給される湯の温度を調整する。運転制御装置４０は、終了条件が満たされた場合に、第１給湯処理を終了する。終了条件は、一定量の湯が第１給湯路３１１を通じて供給されたことである。本実施形態では、第１給湯路３１１は、浴槽２１０に接続されており、第１給湯処理は、いわゆる、湯張り処理である。
【００３４】
第２給湯処理は、第２給湯路３１２を通じて湯を供給する処理である。第２給湯処理では、運転制御装置４０は、第２バルブ３４２を開状態として熱交換器３２から第２給湯路３１２に湯を供給する。第２給湯処理は、第２給湯路３１２の使用の割込みの検出に応じて実行される。本実施形態では、第２給湯路３１２は給湯栓２２０に接続されているから、給湯栓２２０が開かれると、第３給水路３１６及び第２給湯路３１２を通じて給湯栓２２０から水が出る。よって、運転制御装置４０は、流量計３５で測定された流量が閾値以上になると、第２給湯路３１２の使用の割込みがあったと判断する。
【００３５】
このように、給湯装置２０は、熱交換器３２を有し、第１給湯処理では熱交換器３２で生成された湯を第１給湯路３１１に供給し、第２給湯処理では熱交換器３２で生成された湯を第２給湯路３１２に供給する。
【００３６】
運転制御装置４０は、給湯信号を受け取ると、第１給湯処理を開始する。そして、給湯信号は、通信制御装置５０又は遠隔制御装置６０から運転制御装置４０に与えられる。ここで、運転制御装置４０は、遠隔制御装置６０から給湯信号を受け取った場合には、ノーマルモードで動作する。ノーマルモードでは、運転制御装置４０は、第２給湯路３１２の使用の割込みの検出に応答して第２給湯処理を行う。一方、運転制御装置４０は、通信制御装置５０から給湯信号を受け取った場合には、セーフモードで動作する。セーフモードでは、運転制御装置４０は、第２給湯路３１２の使用の割込みの検出があっても、第２給湯処理を行わない。なお、運転制御装置４０は、セーフモードにおいて、解除信号を受け取ると、ノーマルモードへ移行する。解除信号は、遠隔制御装置６０により運転制御装置４０へ与えられる。また、運転制御装置４０は、セーフモードで動作する際に、遠隔制御装置６０に、通知を送る。この通知は、給湯装置２０が通信制御装置５０からの給湯信号により第１給湯処理を実行していることを示すメッセージを含む。
【００３７】
運転制御装置４０は、第１給湯処理の実行中でなければ、第２給湯路３１２の使用の割込みの検出に応答して第２給湯処理を行う。
【００３８】
遠隔制御装置６０は、ユーザが給湯装置２０を操作するための装置である。遠隔制御装置６０は、例えば、浴槽２１０のある浴室内や、給湯栓２２０のあるキッチンの近傍に設置される。遠隔制御装置６０は、入出力部６１と、処理部６２と、を備えている。入出力部６１は、給湯装置２０の操作及び給湯装置２０の状態の確認を行うためのユーザインタフェースである。入出力部６１は、給湯装置２０を操作するための入力装置、及び、給湯装置２０の状態に関する情報を表示するための出力装置を備えている。入力装置は、例えば、タッチパッド及び１以上の押ボタンを含む。出力装置は、ディスプレイ及びスピーカを含む。ここで、入力装置のタッチパッドと出力装置のディスプレイとでタッチパネルが構成されてもよい。処理部６２は、遠隔制御装置６０の動作を制御する電気回路である。処理部６２は、例えば、１以上のプロセッサ（マイクロプロセッサ）と１以上のメモリとにより実現され得る。処理部６２は、給湯装置２０の運転制御装置４０と通信可能に接続されている。処理部６２は、入出力部６１の操作に応じて、運転制御装置４０に、オン信号、オフ信号、給湯信号、及び解除信号を与える。また、処理部６２は、入出力部６１の操作に応じて、給湯装置２０の給湯温度の設定を行う。なお、遠隔制御装置６０は、給湯装置２０を制御する機能が全て有効である通常状態と、運転制御装置４０にオン信号を送信する機能だけが有効なスリープ状態とを有していてもよい。この場合、運転制御装置４０がオフ状態からオン状態になることに連動して、遠隔制御装置６０がスリープ状態から通常状態へと移行してよい。
【００３９】
通信制御装置５０は、情報端末４００の操作に応じて、給湯装置２０に第１給湯処理を実行させるための装置である。本実施形態では、第１給湯処理はいわゆる湯張り処理であるから、通信制御装置５０は、遠隔制御装置６０ではなく、情報端末４００を用いて浴槽２１０の湯張りを可能にする。ここで、情報端末４００は、例えば、スマートフォンである。また、情報端末４００は、タブレット端末等の携帯端末、又はパーソナルコンピュータ（特に、ラップトップコンピュータ）により実現され得る。ユーザが情報端末４００で適宜のアプリケーションを実行して、第１給湯処理の実行の要求を行うと、情報端末４００からの要求は通信ネットワーク５００を介してサーバ３００に送信される。サーバ３００は、情報端末４００のユーザと通信制御装置５０との対応関係を保持しており、情報端末４００からの要求を、情報端末４００のユーザに対応する通信制御装置５０に通信ネットワーク５００を通じて送信する。これによって、情報端末４００から通信制御装置５０に第１給湯処理の実行の要求が与えられる。
【００４０】
通信制御装置５０は、通信ネットワーク５００を通じて第１給湯処理の実行の要求を受け取ると、運転制御装置４０がオン状態かオフ状態か（給湯装置２０が運転状態か停止状態か）を判定する。例えば、通信制御装置５０は、運転制御装置４０に応答を求める信号を送信し、所定期間内に運転制御装置４０から応答がなければ、運転制御装置４０がオフ状態であると判定する。通信制御装置５０は、給湯装置２０が停止状態であれば、運転制御装置４０にオン信号を送信して運転制御装置４０をオン状態としてから、給湯信号を送信する。一方、通信制御装置５０は、運転制御装置４０がオン状態であれば、運転制御装置４０にオン信号を送信することなく給湯信号を送信する。これによって、通信制御装置５０は、情報端末４００からの第１給湯処理の実行の要求に応じて、運転制御装置４０に第１給湯処理を開始させる。
【００４１】
以上述べた給湯システム１０では、給湯装置２０の運転制御装置４０が１以上のプロセッサと１以上のメモリとにより実現されている。つまり、運転制御装置４０は、１以上のプロセッサがプログラム（給湯プログラム）を実行することにより実現される。給湯プログラムは、１以上のプロセッサにより実行されると、１以上のプロセッサに、第１指示と、第２指示と、を与える。第１指示は、無線信号に応答して通信制御装置５０から送信される給湯信号に応じて第１給湯路３１１を通じて湯を供給する第１給湯処理を実行する指示である。第２指示は、第１指示によって第１給湯処理を開始した場合には第１給湯路３１１と並列な第２給湯路３１２の使用の割込みを検出しても第２給湯路３１２を通じて湯を供給する第２給湯処理を実行しない指示である。このような給湯プログラムによれば、給湯システム１０と同様に、意図しない温度の湯水の供給を抑制できる。
【００４２】
１．３  動作
以下、図３〜図５のフローチャートを参照して、給湯システム１０の動作の一例について説明する。
【００４３】
まず、運転制御装置４０はオン状態であれば、給湯信号を待ち受ける（Ｓ１０１）。運転制御装置４０は、給湯信号を受け取ると（Ｓ１０１：Ｙｅｓ）、第１給湯処理を開始する（Ｓ１０２）。そして、給湯信号の送信元が通信制御装置５０であれば（Ｓ１０３：Ｙｅｓ）、運転制御装置４０は遠隔制御装置６０に通知を送る（Ｓ１０４）。この通知は、給湯装置２０が通信制御装置５０からの給湯信号により第１給湯処理を実行していることを示す。この後、運転制御装置４０はセーフモードで動作する（Ｓ１０５）。一方、給湯信号の送信元が通信制御装置５０以外（遠隔制御装置６０）であれば（Ｓ１０３：Ｎｏ）、運転制御装置４０はノーマルモードで動作する（Ｓ１０６）。
【００４４】
図４は、給湯システム１０のセーフモードの動作を示す。セーフモードでは、運転制御装置４０は、割込みの検出（Ｓ２０１）、解除信号の受信（Ｓ２０２）、及び、終了条件の充足（Ｓ２０３）の判定を行う。ここで、運転制御装置４０は、割込みを無視しており、割込みの検出の有無（Ｓ２０１：Ｙｅｓ又はＮｏ）によって処理を何ら変更しない。運転制御装置４０は、解除信号を受信したと判断した場合（Ｓ２０２：Ｙｅｓ）、セーフモードからノーマルモードへ移行する（Ｓ２０５）。運転制御装置４０は、終了条件を充足したと判定すると（Ｓ２０３：Ｙｅｓ）、第１給湯処理を終了する（Ｓ２０４）。
【００４５】
図５は、給湯システム１０のノーマルモードの動作を示す。ノーマルモードでは、運転制御装置４０は、割込みの検出（Ｓ３０１）及び終了条件の充足（Ｓ３０５、Ｓ３０７）の判定を行う。また、運転制御装置４０は、割込みを検出すると（Ｓ３０１：Ｙｅｓ）、第２給湯処理を開始し（Ｓ３０２）、以後は、割込みの終了（Ｓ３０３、Ｓ３０９）及び終了条件の充足（Ｓ３０５、Ｓ３０７）の判定を行う。運転制御装置４０は、割込みが終了したと判定すると（Ｓ３０３、Ｓ３０９：Ｙｅｓ）、第２給湯処理を終了する（Ｓ３０４、Ｓ３１０）。また、運転制御装置４０は、終了条件を充足したと判定すると（Ｓ３０５、Ｓ３０７：Ｙｅｓ）、第１給湯処理を終了する。
【００４６】
このように、給湯システム１０は、ノーマルモードでは、割り込みに応じて第２給湯処理を実行するが、セーフモードでは、割り込みがあっても第２給湯処理を実行しない。そのため、給湯システム１０によれば、意図しない温度の湯水の供給を抑制できる。
【００４７】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００４８】
例えば、給湯システム１０のセーフモードの動作は、実施形態の例に限定されない。一変形例では、給湯装置２０は、通信制御装置５０からの給湯信号に応じて第１給湯処理を実行している間に割込みを検出すると、第２給湯処理とともに湯温低下処理を実行してもよい。湯温低下処理は、第２給湯処理で供給される湯の温度を低下させる処理である。給湯装置２０は、湯温低下処理では、熱交換器３２での湯の生成を中止してよい。例えば、運転制御装置４０は、湯温低下処理の間だけ、熱交換器３２での湯の生成を中止し、第２バルブ３４２を開状態とする。これによって、第２給湯処理で供給される湯の温度が低下する。したがって、この変形例では、上記実施形態と同様に、意図しない温度の湯水の供給を抑制できる。ただし、熱交換器３２での湯の生成を中止することに伴い、第１給湯処理で供給される湯の温度も低下する。そこで、運転制御装置４０は、湯温低下処理を行う場合、第１給湯処理を中止する。そして、割込みを検出しなくなると、運転制御装置４０は、第２給湯処理及び湯温低下処理を終了し、第１給湯処理を再開する。
【００４９】
この変形例の場合、給湯プログラムの第２指示は、第１指示によって第１給湯処理を開始した場合に、第１給湯路３１１と並列な第２給湯路３１２の使用の割込みを検出すると湯温低下処理を実行する指示である。このような給湯プログラムによれば、上記実施形態と同様に、意図しない温度の湯水の供給を抑制できる。
【００５０】
以下、図６のフローチャートを参照して上記変形例のセーフモードの動作について説明する。運転制御装置４０は、割込みの検出（Ｓ４０１）、解除信号の受信（Ｓ４０７）、及び、終了条件の充足（Ｓ４０８）の判定を行う。ここで、運転制御装置４０は、割込みを検出すると（Ｓ４０１：Ｙｅｓ）、第２給湯処理及び湯温低下処理を開始し（Ｓ４０２）、第１給湯処理を中止する（Ｓ４０３）。そして、運転制御装置４０は、割込みを検出しなくなると（Ｓ４０４：Ｙｅｓ）、第２給湯処理及び湯温低下処理を終了し（Ｓ４０５）、第１給湯処理を再開する（Ｓ４０６）。また、運転制御装置４０は、解除信号を受信したと判断した場合（Ｓ４０７：ＹＥＳ）、セーフモードからノーマルモードへ移行する（Ｓ４１０）。運転制御装置４０は、終了条件を充足したと判定すると（Ｓ４０８：Ｙｅｓ）、第１給湯処理を終了する（Ｓ４０９）。
【００５１】
このように、上記変形例は、ノーマルモードでは、割り込みに応じて第２給湯処理を実行し、セーフモードでは、割り込みに応じて第２給湯処理及び温度低下処理を実行する。そのため、上記変形例によれば、意図しない温度の湯水の供給を抑制できる。なお、図６のフローチャートにおいて、Ｓ４０２とＳ４０３の順番は逆であってもよいし、Ｓ４０５とＳ４０６の順番も逆であってもよい。
【００５２】
また、上記変形例において、湯温低下処理では、熱交換器３２による湯の生成を終了する代わりに、熱交換器３２で生成される湯の温度を低下させてもよい。例えば、運転制御装置４０は、第３バルブ３４３を用いた熱交換器３２への水の量の調整及び第５バルブ３４５を用いた熱交換器３２への燃料の量の調整によって、熱交換器３２で生成する湯の温度をあらかじめ設定された給湯温度よりも低下させる。この場合、熱交換器３２で生成する湯の温度は低ければ低いほど好ましい。
【００５３】
上記実施形態の給湯設備３０の構成は一例であって、給湯設備３０の構成は上記実施形態の構成に限定されない。
【００５４】
例えば、給湯設備３０は、複数の第２給湯路３１２を有していてもよい。複数の第２給湯路３１２は、キッチンの給湯栓２２０だけではなく、洗面台の給湯栓や、浴室の給湯栓等、様々な給湯栓に接続されていてよい。要するに、給湯設備３０は、１以上の第２給湯路３１２を有していればよい。
【００５５】
また、給湯設備３０は、熱交換器３２から第１給湯路３１１及び第２給湯路３１２に湯を直接的に供給する構成に限定されない。例えば、給湯設備３０は、熱交換器３２で生成された湯を貯めるタンクを有し、タンクから第１給湯路３１１及び第２給湯路３１２に湯を供給してよい。つまり、給湯設備３０は、貯湯式の給湯器であってよい。
【００５６】
また、熱交換器３２は、燃料式のものではなく、電気式のものであってもよい。
【００５７】
また、給湯設備３０は、温度制御等を目的として、配管３１に設けられた１以上の温度センサを備えていてよい。運転制御装置４０は、１以上の温度センサの測定結果に基づき、給湯設備３０から供給される湯の温度をより正確に調整できる。
【００５８】
３．態様
上記実施形態及び変形例から明らかなように、本開示は、下記の態様を含む。以下では、実施形態との対応関係を明示するためだけに、符号を括弧付きで付している。
【００５９】
第１の態様の給湯システム（１０）は、給湯装置（２０）と、通信制御装置（５０）と、を備える。前記給湯装置（２０）は、互いに並列な第１給湯路（３１１）及び第２給湯路（３１２）を有し、給湯信号に応じて前記第１給湯路（３１１）を通じて湯を供給する第１給湯処理を実行する。前記給湯装置（２０）は、前記第２給湯路（３１２）の使用の割込みを検出すると前記第２給湯路（３１２）を通じて湯を供給する第２給湯処理を実行する。前記通信制御装置（５０）は、無線信号に応答して前記給湯装置（２０）に前記給湯信号を送信する。前記給湯装置（２０）は、前記通信制御装置（５０）からの前記給湯信号に応じて前記第１給湯処理を開始した場合には、前記割込みを検出しても前記第２給湯処理を実行しない、又は、前記割込みを検出すると湯温低下処理を実行する。前記湯温低下処理は、前記第２給湯路（３１２）を通じて供給する湯の温度を低下させる処理である。第１の態様によれば、意図しない温度の湯水の供給を抑制できる。
【００６０】
第２の態様の給湯システム（１０）は、第１の態様との組み合わせにより実現され得る。第２の態様では、前記給湯装置（２０）は、熱交換器（３２）を有する。前記給湯装置（２０）は、前記第１給湯処理では前記熱交換器（３２）で生成された湯を前記第１給湯路（３１１）に供給し、前記第２給湯処理では前記熱交換器（３２）で生成された湯を前記第２給湯路（３１２）に供給する。第２の態様によれば、意図しない温度の湯水の供給を抑制できる。
【００６１】
第３の態様の給湯システム（１０）は、第１又は第２の態様との組み合わせにより実現され得る。第３の態様では、前記給湯装置（２０）は、前記通信制御装置（５０）からの前記給湯信号に応じて前記第１給湯処理を実行している間は、前記割込みを無視する。第３の態様によれば、意図しない温度の湯水の供給を抑制できる。
【００６２】
第４の態様の給湯システム（１０）は、第２の態様との組み合わせにより実現され得る。第４の態様では、前記給湯装置（２０）は、前記湯温低下処理では、前記熱交換器（３２）での湯の生成を中止する。第４の態様によれば、意図しない温度の湯水の供給を抑制できる。
【００６３】
第５の態様の給湯システム（１０）は、第２の態様との組み合わせにより実現され得る。第５の態様では、前記給湯装置（２０）は、前記湯温低下処理では、前記熱交換器（３２）で生成される湯の温度を低下させる。第５の態様によれば、意図しない温度の湯水の供給を抑制できる。
【００６４】
第６の態様の給湯システム（１０）は、第４又は第５の態様との組み合わせにより実現され得る。第６の態様では、前記給湯装置（２０）は、前記通信制御装置（５０）からの前記給湯信号に応じて前記第１給湯処理を実行している間に前記割込みを検出すると、前記第１給湯処理を中止する。第６の態様によれば、第１給湯処理で通常より温度の低い湯又は水が供給されることを防止できる。
【００６５】
第７の態様の給湯システム（１０）は、第６の態様との組み合わせにより実現され得る。第７の態様では、前記給湯装置（２０）は、前記割込みの検出に応じた前記第１給湯処理の終了後に、前記割込みを検出しなくなると、前記湯温低下処理を終了して前記第１給湯処理を再開する。第７の態様によれば、給湯システム（１０）の利便性が向上する。
【００６６】
第８の態様の給湯システム（１０）は、第１〜第７の態様のいずれか一つとの組み合わせにより実現され得る。第８の態様では、前記給湯システム（１０）は、ユーザの操作に応じて前記給湯装置（２０）に前記給湯信号を送信する遠隔制御装置（６０）を備える。第８の態様によれば、給湯システム（１０）の利便性が向上する。
【００６７】
第９の態様の給湯システム（１０）は、第８の態様との組み合わせにより実現され得る。第９の態様では、前記給湯装置（２０）は、前記遠隔制御装置（６０）からの前記給湯信号により前記第１給湯処理を実行している間は、前記割込みの検出に応じて前記第２給湯処理を実行する。第９の態様によれば、給湯システム（１０）の利便性が向上する。
【００６８】
第１０の態様の給湯システム（１０）は、第８又は第９の態様との組み合わせにより実現され得る。第１０の態様では、前記遠隔制御装置（６０）は、前記給湯装置（２０）が前記通信制御装置（５０）からの前記給湯信号により前記第１給湯処理を実行していることを通知する。第１０の態様によれば、ユーザに第２給湯処理を実行しない理由を通知できる。
【００６９】
第１１の態様の給湯システム（１０）は、第９又は第１０の態様との組み合わせにより実現され得る。第１１の態様では、前記遠隔制御装置（６０）は、ユーザの操作に応じて前記給湯装置（２０）に解除信号を送信する。前記給湯装置（２０）は、前記通信制御装置（５０）からの前記給湯信号により前記第１給湯処理を実行している間に前記解除信号を受け取った後は、前記割込みの検出に応じて前記第２給湯処理を実行する。第１１の態様によれば、ユーザの意思表示をもとに第２給湯処理を開始できる。
【００７０】
第１２の態様の給湯システム（１０）は、第１〜第１１の態様のいずれか一つとの組み合わせにより実現され得る。第１２の態様では、前記無線信号は、情報端末（４００）からの前記第１給湯処理の実行の要求を示す信号である。第１２の態様によれば、情報端末（４００）を用いて給湯装置（２０）に第１給湯処理を開始させることができる。
【００７１】
第１３の態様の給湯システム（１０）は、第１〜第１２の態様のいずれか一つとの組み合わせにより実現され得る。第１３の態様では、前記給湯装置（２０）は、第１給湯路（３１１）及び第２給湯路（３１２）を有する給湯設備（３０）と、前記給湯設備（３０）を制御して前記第１給湯処理及び前記第２給湯処理を実行する運転制御装置（４０）とを有する。前記運転制御装置（４０）は、前記給湯設備（３０）の制御が可能なオン状態と、前記給湯設備（３０）の制御が不可能なオフ状態と、を有する。前記通信制御装置（５０）は、前記運転制御装置（４０）を前記オフ状態から前記オン状態に変更した後に前記運転制御装置（４０）に前記給湯信号を送信する。第１３の態様によれば、運転制御装置（４０）がオフ状態となって給湯装置（２０）が停止している場合でも、運転制御装置（４０）をオン状態にして給湯装置（２０）を起動して第１給湯処理を開始させることができる。
【００７２】
第１４の態様の給湯プログラムは、１以上のプロセッサにより実行されると、前記１以上のプロセッサに、第１指示と第２指示とを与える。前記第１指示は、無線信号に応答して通信制御装置（５０）から送信される給湯信号に応じて第１給湯路（３１１）を通じて湯を供給する第１給湯処理を実行する指示である。前記第２指示は、前記第１指示によって前記第１給湯処理を開始した場合に、前記第１給湯路（３１１）と並列な第２給湯路（３１２）の使用の割込みを検出しても第２給湯処理を実行しない、又は、前記割込みを検出すると湯温低下処理を実行する指示である。前記第２給湯処理は、前記第２給湯路（３１２）を通じて湯を供給する処理である。前記湯温低下処理は、前記第２給湯路（３１２）を通じて供給する湯の温度を低下させる処理である。第１４の態様によれば、意図しない温度の湯水の供給を抑制できる。
【符号の説明】
【００７３】
１０  給湯システム
２０  給湯装置
３０  給湯設備
３１１  第１給湯路
３１２  第２給湯路
３２  熱交換器
４０  運転制御装置
５０  通信制御装置
６０  遠隔制御装置
【図１】
2019196858.tif 000003
【図２】
2019196858.tif 000004
【図３】
2019196858.tif 000005
【図４】
2019196858.tif 000006
【図５】
2019196858.tif 000007
【図６】
2019196858.tif 000008